(57)【特許請求の範囲】
【請求項１】
放送局の放送波を受信する受信装置において、
ユーザが地域を指定するための地域指定手段と、
地域と、地域をサービスエリアとする放送局の系列関係を記憶する放送地域データベースと、
放送局名の報知を行う場合に、前記地域指定手段で指定された地域と前記放送地域データベースに基づいて報知対象の放送局と同一系列であるユーザにより指定された地域の放送局名を報知する報知手段と、
を備えたことを特徴とする受信装置。
【請求項２】
前記報知手段は、報知対象の放送局名とユーザにより指定された地域における報知対象の放送局と同一系列の放送局名の両方を報知することを特徴とする請求項１記載の受信装置。
【請求項３】
放送局の放送波を受信する受信装置において、
ユーザが地域を指定するための地域指定手段と、
地域と、地域をサービスエリアとする放送局の系列関係を記憶する放送地域データベースと、
放送局のチャンネル番号の報知を行う場合に、前記地域指定手段で指定された地域と前記放送地域データベースに基づいて報知対象の放送局と同一系列であるユーザにより指定された地域の放送局のチャンネル番号を報知する報知手段と、
を備えたことを特徴とする受信装置。
【請求項４】
前記報知手段は、報知対象の放送局のチャンネル番号とユーザにより指定された地域における報知対象の放送局と同一系列の放送局のチャンネル番号の両方を報知することを特徴とする請求項３記載の受信装置。
【請求項５】
放送局の放送波を受信する受信装置において、
地域と、地域をサービスエリアとする放送局の系列関係を記憶する放送地域データベースと、
音声認識を行う音声認識部と、
前記音声認識部により放送局名が認識された時に、前記放送地域データベースに基づいて、認識された放送局名と同一系列の放送局を受信するように受信周波数を制御する受信制御手段とを備えたことを特徴とする受信装置。
【請求項６】
放送局の放送波を受信する受信装置において、
ユーザが地域を指定するための地域指定手段と、
地域と、地域をサービスエリアとする放送局の系列関係を記憶する放送地域データベースと、
音声認識を行う音声認識部と、
前記音声認識部により放送局のチャンネル番号が認識された時に、前記地域指定手段で指定された地域と前記放送地域データベースに基づいて、ユーザにより指定された地域における認識されたチャンネル番号に対応する放送局と同一系列の放送局を受信するように受信周波数を制御する受信制御手段とを備えたことを特徴とする受信装置。
【請求項７】
前記受信装置は車両に搭載された受信装置であって、
前記地域指定手段は、車両に搭載され目的地までの経路案内を行うナビゲーション装置に記憶された目的地選択用の目的地情報に基づき地域を指定することを特徴とする請求項１、２、３、４、または６のいずれかに記載の受信装置。
【発明の詳細な説明】
【０００１】
【発明の属する技術分野】
本発明は、受信地域が変化しても、ネットワークを構成して同一番組を放送する放送局の選局が容易にできる受信装置に関する。
【０００２】
【従来の技術】
車載用のテレビ受信装置においては、車両の走行に応じて異なる放送局のサービスエリアに入り、自宅付近のチャンネル番号とは異なるチャンネルを受信することになる。そのために、自宅で見ていた番組と同一番組を受信する場合には、例えば、チャンネル番号を１ｃｈに設定して、放送波の有無、受信した番組が同じ番組か否かを視聴者が判断して、異なれば以下同様に２ｃｈ、３ｃｈ・・・と順次、チャンネル番号を変更して同一番組を放送している放送局のチャンネル番号を探す方法が採られている。
【０００３】
また、地域毎に受信可能な放送局名とチャンネル番号を記憶したメモリを受信６置内に設けて、視聴者の指定した地域の放送局名とチャンネル番号をメモリから読み出して表示画面に表示し、視聴者は表示されたチャンネル番号のみを順次チャンネル設定して、受信した番組が同一番組であるか否かを判断する方法もある。
【０００４】
【発明が解決しようとする課題】
従来のテレビ受信装置におけるチャンネル設定方法では、視聴者は何回もチャンネルを切り換え、その都度、番組の内容を確認して所望の番組であるか否かを判断する必要があり、このようなサーチ操作を所望の番組が見つかるまで行うのは面倒であり、時間もかかる。また、メモリから受信可能な放送局名とチャンネル番号を読み出す場合では、チャンネル設定が受信可能なチャンネルのみに限定されるので多少チャンネル設定、確認時間が短縮できるが大幅な改善は期待できない。尚、ＦＭラジオ放送等のラジオ放送でも、同様のことが言える。
【０００５】
本発明は、受信地域が変化しても、ネットワークを構成して同一番組を放送する放送局の選局が容易にできる受信装置を提供することを課題とする。
【０００６】
【課題を解決するための手段】
上記目的を達成するために本発明は、放送局の放送波を受信する受信装置において、ユーザが地域を指定するための地域指定手段と、地域と、地域をサービスエリアとする放送局の系列関係を記憶する放送地域データベースと、放送局名の報知を行う場合に、前記地域指定手段で指定された地域と前記放送地域データベースに基づいて報知対象の放送局と同一系列であるユーザにより指定された地域の放送局名を報知する報知手段と、を備えたことを特徴とするものである。
【０００９】
また、前記報知手段は、報知対象の放送局名とユーザにより指定された地域における報知対象の放送局と同一系列の放送局名の両方を報知することを特徴とするものである。
【００１０】
また、放送局の放送波を受信する受信装置において、ユーザが地域を指定するための地域指定手段と、地域と、地域をサービスエリアとする放送局の系列関係を記憶する放送地域データベースと、放送局のチャンネル番号の報知を行う場合に、前記地域指定手段で指定された地域と前記放送地域データベースに基づいて報知対象の放送局と同一系列であるユーザにより指定された地域の放送局のチャンネル番号を報知する報知手段と、を備えたことを特徴とするものである。
【００１１】
また、前記報知手段は、報知対象の放送局のチャンネル番号とユーザにより指定された地域における報知対象の放送局と同一系列の放送局のチャンネル番号の両方を報知することを特徴とするものである。
【００１３】
放送局の放送波を受信する受信装置において、地域と、地域をサービスエリアとする放送局の系列関係を記憶する放送地域データベースと、音声認識を行う音声認識部と、前記音声認識部により放送局名が認識された時に、前記放送地域データベースに基づいて、認識された放送局名と同一系列の放送局を受信するように受信周波数を制御する受信制御手段とを備えたことを特徴とする受信装置。
【００１４】
また、放送局の放送波を受信する受信装置において、ユーザが地域を指定するための地域指定手段と、地域と、地域をサービスエリアとする放送局の系列関係を記憶する放送地域データベースと、音声認識を行う音声認識部と、前記音声認識部により放送局のチャンネル番号が認識された時に、前記地域指定手段で指定された地域と前記放送地域データベースに基づいて、ユーザにより指定された地域における認識されたチャンネル番号に対応する放送局と同一系列の放送局を受信するように受信周波数を制御する受信制御手段とを備えたことを特徴とするものである。また、前記受信装置は車両に搭載された受信装置であって、前記地域指定手段は、車両に搭載され目的地までの経路案内を行うナビゲーション装置に記憶された目的地選択用の目的地情報に基づき地域を指定することを特徴とするものである。
【００１５】
【発明の実施の形態】
図１は本発明の第１の実施の形態に係る受信装置の構成図で、（ａ）は構成ブロック図、（ｂ）は入力画面図である。図２は放送局データベースを示す図である。以下、図に従って説明する。
【００１６】
１はテレビ放送を受信する受信部で、聴取者が所望する放送局の放送波（チャンネル番号、受信周波数）が受信できるように高周波増幅回路の出力信号と局部発振回路からの（局部発振周波数）信号とを混合して中間周波数に変換するチューナ部１１、中間周波信号を検波・増幅し映像信号と音声信号に分離する受信回路部１２、検波・復調された音声信号を増幅し、検波された信号を左右に分離したステレオ音声信号を左右のスピーカから音声出力する音声出力部１３、検波・復調された映像信号を増幅し、液晶表示素子等に表示する映像出力部１４から構成される。４はナビゲーションシステム２及び放送局データベース３１に基いて現在地において受信可能な放送局の放送局名とチャンネル番号の表示、ＧＰＳシステム２１の出力及び地図データベース２２に基いて車両位置を特定する処理、特定された車両位置（現在地）が属する放送局を表示する処理等を行う制御部であり、マイクロコンピュータ等で構成される。
【００１７】
２は目的地までの経路案内を行うナビゲーションシステムで、人工衛星からの電波を利用して車両位置を検出するＧＰＳシステム２１、地図情報が記憶されたＣＤ−ＲＯＭ及びその読出装置からなる地図データベース２２で構成される。３１はネットワークを構成する放送局の系列名とその系列に属する地区毎の放送局名、チャンネル番号が記憶された放送局データベースでＲＯＭあるいは電源バックアップされたＲＡＭからなる。３３は搭乗者がマイク３２により入力した音声を認識する音声認識部である。
【００１８】
５は各種の操作指示（例えば、モード設定等）を行うための操作部で、所望の放送局を系列名で表示したり、検索するための系列局キー５１、所望の放送局を系列代表局で表示したり、検索するための系列代表局キー５２、所望の放送局を地元放送局（指定局）で表示したり、検索するための地元局キー５３、現在地をマニュアル入力するための地区指定キー５４、地元局を設定するための指定局設定キー５５で構成される。尚、操作部５は、赤外線等を用いたリモコンとリモコンの操作に応じて映像出力部１４の画像表示を変えるリモコン画像制御部とで構成し、表示画像に応じてリモコンを操作し、各種設定などを行えるようにする構成とすることも可能である。
【００１９】
ここで、放送局データベース３１について若干説明する。図２に示すごとくネットワークを構成する放送局の系列毎に、各地区（例えば、東京地区、大阪地区、名古屋地区・・・）の放送局名とチャンネル番号が記憶されている。例えば、フジテレビ系列であれば東京地区は８ｃｈのフジテレビ、大阪地区は８ｃｈの関西テレビ、名古屋地区は１ｃｈの東海テレビというように各地区の同系列の放送局名とチャンネル番号が対応して記憶されている。
【００２０】
図３は本発明の第１の実施の形態に係る受信装置の制御部４の行う処理のフローチャートである。図４は本発明の第１の実施の形態に係る受信装置の系列名の表示画面図で、（ａ）は系列名読替表示例、（ｂ）は系列名併記表示例である。図５は本発明の第１の実施の形態に係る受信装置の系列代表局の名称／ｃｈの表示画面図で、（ａ）は系列代表局名称読替表示例、（ｂ）は系列代表局名称併記表示例、（ｃ）は系列代表局チャンネル番号表示例である。図６は本発明の第１の実施の形態に係る受信装置の地元放送局の名称／ｃｈの表示画面図で、（ａ）は地元放送局名称読替表示例、（ｂ）は地元放送局名称併記表示例、（ｃ）は地元放送局チャンネル番号表示例である。以下、図に従って説明する。尚、本実施の形態は車載用テレビ受信機を例に、大阪に住んでいる視聴者がドライブ先の名古屋でマニュアルでチャンネル設定するために必要な系列名、系列代表局の名称、チャンネル番号、地元放送局の名称、チャンネル番号等を表示する場合について説明する。尚、本実施の形態では地元放送局とは視聴者の自宅があり普段よく視聴している大阪地区の放送局を言い、地区放送局とはドライブ先の名古屋地区の放送局を言う。
【００２１】
ステップＳ１１では、現在地を検出してステップＳ１２に移る。つまり、ナビゲーションシステム２により車両の現在位置を検出する。そして、検出した現在位置がどの地区のサービスエリアに該当するかを判断する（判断結果、「名古屋」と入力される）。尚、サービスエリアは送信出力や地形を考慮した受信可能地域を示す専用のサービスエリアデータベースを基に決めるか、各地区の放送局（送信所）の位置を中心とする所定距離内とする。また、ナビゲーションシステム２を備えていない場合は、視聴者が道路地図帳や道路標識を基に現在地を想定して、地区指定キー５４により現在地に対応した地区、例えば「名古屋」を入力するようにし、その入力を検出して判断するようにする方法が考えられる。
【００２２】
ステップＳ１２では、検索モード設定があるか否かを判断して検索モード設定があればステップＳ１３に移り、検索モード設定がなければステップＳ２６に移る。つまり、視聴者が現在地（名古屋地区）における放送局の放送を受信するに際して、ネットワークを構成する系列の放送局の名称、チャンネル番号に読み替えて表示したいのか（肯定Ｙ）、直接名古屋地区の放送局の名称、チャンネル番号で表示したいのか（否定Ｎ）を判断するものである。この検索モード設定は視聴者により初期設定されており、この設定状態の有無も基づき判断する。
【００２３】
ステップＳ１３では、検索モードを判断して系列名を検索する場合はステップＳ１４に移り、系列代表局を検索する場合はステップＳ１６に移り、地元局を検索する場合はステップＳ２１に移る。つまり、視聴者が現在地（名古屋地区）における放送局の放送局名とチャンネル番号を、ネットワークを構成する系列名と対応して知りたいか、系列を代表する系列代表局（通常、東京地区の放送局が多い）と対応して知りたいか、普段聴取している地元（例えば、ナビゲーションシステム２で設定されている自宅のある大阪地区）の放送局名（地元局）と対応して知りたいかを判断するものである。この検索モードは視聴者により初期設定されており、この設定状態から判断する。初期設定は系列局キー５１、系列代表局キー５２、指定局キー５３のいずれかを選択することにより設定される（入力画面（図１（ｂ）参照）。
【００２４】
ステップＳ１４では、系列名を検索してステップＳ１５に移る。つまり、制御部４は放送局データベース３１から名古屋地区で受信可能な全放送局について対応する各系列名を検索する。例えば、「東海テレビ」に対応する「フジテレビ系列」を検索する。以下同様にして、ＮＨＫ総合（ＮＨＫ総合系列）、中部日本放送（ＴＢＳ系列）、ＮＨＫ教育（ＮＨＫ教育系列）、名古屋テレビ（テレビ朝日系列）、テレビ愛知（テレビ東京系列）、中京テレビ（日本テレビ系列）を検索する。
【００２５】
ステップＳ１５では、検索した系列名を映像出力部１４に表示して処理を終える。つまり、名古屋地区における受信可能な全放送局の放送局名を系列名に読み替えて映像出力部１４の液晶表示画面に（例えば、「１ｃｈ」、「東海テレビ」を「１ｃｈ」、「フジテレビ系列」と読み替えて）表示する（図４（ａ）参照）。または名古屋地区における受信可能な全放送局の放送局名に系列名を併記して映像出力部１４の液晶表示画面に（例えば、「１ｃｈ」、「東海テレビ（フジテレビ系列）」と併記して）表示する（図４（ｂ）参照）。尚、対応する系列名がない放送局は「空欄」または「なし」と表示される。視聴者は系列名を参考にして、その地区におけるチャンネル番号をマニュアル入力することにより所望の放送局の放送が受信できる。尚、ファンクションキーによりチャンネル選択が可能な受信装置にあっては、ファンクションキー（Ｆ１〜Ｆ８）に対応して映像出力部１４の案内画面に系列名（図４（ａ）参照）が、または系列名とその地区の放送局名（図４（ｂ）参照）が表示される。視聴者は所望の系列名に対応するファンクションキーを選択することにより直接チャンネル番号が入力されるので、現在地において所望の放送局の放送が容易に受信できる。
【００２６】
ステップＳ１６では、表示形態を判断して名称（放送局名）で表示するならばステップＳ１７に移り、チャンネル番号で表示するならばステップＳ１９に移る。つまり、現在地における放送局を系列代表局の名称で表示するか、系列代表局のチャンネル番号で表示するかを判断する。この判断は視聴者により設定されている初期設定の状態により判断する。
【００２７】
ステップＳ１７では、系列代表局の名称を検索してステップＳ１８に移る。つまり、制御部４は放送局データベース３１から名古屋地区で受信可能な全放送局について対応する各系列代表局の名称を検索する。例えば、「東海テレビ」に対応する各系列代表局の「フジテレビ」を検索する。以下同様にして、ＮＨＫ総合（ＮＨＫ総合）、中部日本放送（ＴＢＳ）、ＮＨＫ教育（ＮＨＫ教育）、名古屋テレビ（テレビ朝日）、テレビ愛知（テレビ東京）、中京テレビ（日本テレビ）を検索する。
【００２８】
ステップＳ１８では、検索した系列代表局の名称を映像出力部１４に表示して処理を終える。つまり、名古屋地区における受信可能な全放送局の放送局名を系列代表局の名称に読み替えて映像出力部１４の液晶表示画面に（例えば、「１ｃｈ」、「東海テレビ」を「１ｃｈ」、「フジテレビ」と読み替えて）表示する（図５（ａ）参照）。または名古屋地区における受信可能な全放送局の放送局名に系列代表局の名称を併記して映像出力部１４の液晶表示画面に（例えば、「１ｃｈ」、「東海テレビ（フジテレビ）」と併記して）表示する（図５（ｂ）参照）。視聴者は系列代表局の名称を参考にして、その地区におけるチャンネル番号をマニュアル入力することにより所望の放送局の放送が受信できる。尚、ファンクションキーによりチャンネル選択が可能な受信装置にあっては、ファンクションキー（Ｆ１〜Ｆ８）に対応して映像出力部１４の案内画面に系列代表局名（図５（ａ）参照）が、または系列代表局名とその地区の放送局名（図５（ｂ）参照）が表示される。視聴者は所望の系列代表局の名称に対応するファンクションキーを選択することにより直接チャンネル番号が入力されるので、現在地において所望の放送局の放送が容易に受信できる。
【００２９】
ステップＳ１９では、系列代表局のチャンネル番号を検索してステップＳ２０に移る。つまり、制御部４は放送局データベース３１から名古屋地区で受信可能な全放送局について対応する各系列代表局のチャンネル番号を検索する。例えば、「東海テレビ」に対応するフジテレビの「８ｃｈ」を検索する。以下同様にして、ＮＨＫ総合（１ｃｈ）、中部日本放送（６ｃｈ）、ＮＨＫ教育（３ｃｈ）、名古屋テレビ（１０ｃｈ）、テレビ愛知（１２ｃｈ）、中京テレビ（４ｃｈ）を検索する。
【００３０】
ステップＳ２０では、検索した系列代表局のチャンネル番号を映像出力部１４に表示して処理を終える。つまり、名古屋地区における受信可能な全放送局のチャンネル番号に系列代表局のチャンネル番号を併記して映像出力部１４の液晶表示画面に（例えば、「１ｃｈ」と「８ｃｈ」を対応させて）表示する（図５（ｃ）参照）。視聴者は系列代表局のチャンネル番号を参考にして、その地区におけるチャンネル番号をマニュアル入力することにより所望の放送局の放送が受信できる。尚、ファンクションキーによりチャンネル選択が可能な受信装置にあっては、ファンクションキー（Ｆ１〜Ｆ８）に対応して映像出力部１４の案内画面に系列代表局のチャンネル番号（図５（ｃ）参照）が表示される。視聴者は所望の系列代表局のチャンネル番号に対応するファンクションキーを選択することにより直接チャンネル番号が入力されるので、現在地において所望の放送局の放送が容易に受信できる。
【００３１】
ステップＳ２１では、表示形態を判断して名称で表示するならばステップＳ２２に移り、チャンネル番号で表示するならばステップＳ２４に移る。つまり、現在地における放送局を普段視聴している地元放送局の名称で表示するか、地元放送局のチャンネル番号で表示するかを判断する。この判断は視聴者により設定されている初期設定の状態により判断する。
【００３２】
ステップＳ２２では、地元放送局の名称を検索してステップＳ２３に移る。つまり、制御部４は放送局データベース３１から名古屋地区で受信可能な全放送局について対応する地元放送局（自宅のある大阪地区の放送局）の名称を検索する。例えば、「東海テレビ」に対応する地元放送局の「関西テレビ」を検索する。以下同様にして、ＮＨＫ総合（ＮＨＫ総合）、中部日本放送（毎日テレビ）、ＮＨＫ教育（ＮＨＫ教育）、名古屋テレビ（朝日放送）、テレビ愛知（テレビ大阪）、中京テレビ（読売テレビ）を検索する。
【００３３】
ステップＳ２３では、検索した地元放送局の名称を映像出力部１４に表示して処理を終える。つまり、名古屋地区における受信可能な全放送局の放送局名を地元放送局の名称に読み替えて映像出力部１４の液晶表示画面に（例えば、「１ｃｈ」、「東海テレビ」を「１ｃｈ」、「関西テレビ」と読み替えて）表示する（図６（ａ）参照）。または名古屋地区における受信可能な全放送局の放送局名に地元放送局の名称を併記して映像出力部１４の液晶表示画面に（例えば、「１ｃｈ」、「東海テレビ（関西テレビ）」と併記して）表示する（図６（ｂ）参照）。視聴者は地元放送局の名称を参考にして、その地区におけるチャンネル番号をマニュアル入力することにより所望の放送局の放送が受信できる。尚、ファンクションキーによりチャンネル選択が可能な受信装置にあっては、ファンクションキー（Ｆ１〜Ｆ８）に対応して映像出力部１４の案内画面に地元放送局名（図６（ａ）参照）が、または地元放送局名とその地区の放送局名（図６（ｂ）参照）が表示される。視聴者は所望の地元放送局の名称に対応するファンクションキーを選択することにより直接チャンネル番号が入力されるので、現在地において所望の放送局の放送が容易に受信できる。
【００３４】
ステップＳ２４では、地元放送局のチャンネル番号を検索してステップＳ２５に移る。つまり、制御部４は放送局データベース３１から名古屋地区で受信可能な全放送局について対応する地元放送局（自宅のある大阪地区の放送局）のチャンネル番号を検索する。例えば、「東海テレビ」に対応する関西テレビの「８ｃｈ」を検索する。以下同様にして、ＮＨＫ総合（２ｃｈ）、中部日本放送（４ｃｈ）、ＮＨＫ教育（１２ｃｈ）、名古屋テレビ（６ｃｈ）、テレビ愛知（１９ｃｈ）、中京テレビ（１０ｃｈ）を検索する。
【００３５】
ステップＳ２５では、検索した地元放送局のチャンネル番号を映像出力部１４に表示して処理を終える。つまり、名古屋地区における受信可能な全放送局のチャンネル番号に地元放送局のチャンネル番号を併記して映像出力部１４の液晶表示画面に（例えば、「１ｃｈ」、「８ｃｈ」と併記して）表示する（図６（ｃ）参照）。視聴者は地元放送局のチャンネル番号を参考にして、その地区におけるチャンネル番号をマニュアル入力することにより所望の放送局の放送が受信できる。尚、ファンクションキーによりチャンネル選択が可能な受信装置にあっては、ファンクションキー（Ｆ１〜Ｆ８）に対応して映像出力部１４の案内画面に地元放送局のチャンネル番号（図６（ｃ）参照）が表示される。視聴者は所望の地元放送局のチャンネル番号に対応するファンクションキーを選択することにより直接チャンネル番号が入力されるので、現在地において所望の放送局の放送が容易に受信できる。
【００３６】
ステップＳ２６では、通常の表示を行い処理を終える。つまり、制御部４は放送局データベース３１から名古屋地区で受信可能な全放送局について名称とチャンネル番号を検索し、映像出力部１４の液晶表示画面に表示する。例えば、「東海テレビ、１ｃｈ」を検索し表示する。以下同様にして、ＮＨＫ総合（３ｃｈ）、中部日本放送（５ｃｈ）、ＮＨＫ教育（９ｃｈ）、名古屋テレビ（１１ｃｈ）、テレビ愛知（２２ｃｈ）、中京テレビ（３５ｃｈ）を検索し表示する。
【００３７】
以上のように本実施の形態では、車両の走行環境が変化しても、その地区における放送局の名称、チャンネル番号が系列名、系列代表局の名称、チャンネル番号、地元代表局の名称、チャンネル番号に読み替えて映像出力部１４の画面に表示されるので、チャンネル設定が容易になる。また、ファンクションキーによりチャンネル選択が可能な受信装置にあっては、ファンクションキーに対応して映像出力部１４の案内画面に系列名、系列代表局の名称、チャンネル番号、地元代表局の名称、チャンネル番号に読み替えて表示されるので、ファンクションキーを選択することにより直接チャンネル番号が入力されるので、現在地において所望の放送局の放送が容易に受信できる。
【００３８】
図７は本発明の第２の実施の形態に係る受信装置の制御部４の行う処理のフローチャートである。以下、図に従って説明する。尚、本実施の形態は車載用テレビ受信機を例に、大阪に住んでいる視聴者が音声により入力した系列名、系列代表局の名称、チャンネル番号、地元放送局の名称、チャンネル番号等を認識して、対応する同系列の放送をドライブ先の名古屋で受信できるようにチャンネルを自動的に設定（選局）する場合について説明している。また、本実施の形態における受信装置の構成は第１の実施の形態と同じであるので説明は省略する。
【００３９】
ステップＳ３１では、現在地を検出してステップＳ３２に移る。つまり、ナビゲーションシステム２により車両の現在位置を検出する。そして、検出した現在位置がどの地区のサービスエリアに該当するかを判断する（判断結果、「名古屋」と入力される）。尚、サービスエリアは送信出力や地形を考慮した受信可能地域を示す専用のサービスエリアデータベースを基に決めるか、各地区の放送局（送信所）の位置を中心とする所定距離内とする。また、ナビゲーションシステム２を備えていない場合は、視聴者が道路地図帳や道路標識を基に現在地を想定して、地区指定キー５４により現在地に対応した地区、例えば「名古屋」を入力するようにし、その入力を検出して判断するようにする方法が考えられる。
【００４０】
ステップＳ３２では、放送局名またはチャンネル番号を音声認識してステップＳ３３に移る。つまり、視聴者によりマイク３２を介して音声入力された放送局名やチャンネル番号を音声認識部３３で、例えば、「カンサイテレビ」、「８チャンネル」等のように認識する。
【００４１】
ステップＳ３３では、検索モード設定があるか否かを判断して検索モード設定があればステップＳ３４に移り、検索モード設定がなければステップＳ４５に移る。つまり、視聴者が現在地（名古屋地区）における放送局の放送を受信するに際して、ネットワークを構成する系列の放送局の名称、チャンネル番号で入力したいのか（肯定Ｙ）、直接名古屋地区の放送局の名称、チャンネル番号で入力したいのか（否定Ｎ）を判断するものである。この検索モード設定は視聴者により初期設定されており、この設定状態の有無も基づき判断する。
【００４２】
ステップＳ３４では、検索モードを判断して系列名を検索する場合はステップＳ３５に移り、系列代表局を検索する場合はステップＳ３７に移り、地元局を検索する場合はステップＳ４１に移る。つまり、視聴者の音声入力がネットワークを構成する系列名であるか、系列を代表する系列代表局であるか、普段聴取している地元放送局であるかを判断するものである。この検索モードは視聴者により初期設定されており、この設定状態から判断する。初期設定は系列局キー５１、系列代表局キー５２、指定局キー５３のいずれかを選択することにより設定される（入力画面（図１（ｂ）参照）。
【００４３】
ステップＳ３５では、系列名で地区放送局のチャンネル番号を検索してステップＳ３６に移る。つまり、制御部４は放送局データベース３１から音声入力された「系列名」に対応する名古屋地区の系列放送局のチャンネル番号を検索する。例えば、入力された「フジテレビ系列」に対応する東海テレビの「１ｃｈ」を検索する。
【００４４】
ステップＳ３６では、周波数を設定して処理を終える。つまり、制御部４は「１ｃｈ」が受信できるようにチューナ１１に対して周波数を設定する。
【００４５】
ステップＳ３７では、入力形態を判断して放送局名（名称）による入力であればステップＳ３８に移り、チャンネル番号による入力であればステップＳ４０に移る。つまり、視聴者が「系列代表局の名称」で入力したか、「系列代表局のチャンネル番号」で入力したかを音声認識結果に基いて判断する。ステップＳ３８では、系列代表局名で系列を検索してステップＳ３９に移る。つまり、制御部４は音声入力された「系列代表局名、例えばフジテレビ」がどの系列の放送局であるかを放送局データベース３１から検索する（検索結果は「フジテレビ系列」）。ステップＳ３９では、系列名で地区放送局のチャンネル番号を検索してステップＳ３６に移る。つまり、制御部４は放送局データベース３１から検索結果「フジテレビ系列」に対応する名古屋地区の系列放送局のチャンネル番号を検索する。例えば、「フジテレビ系列」に対応する東海テレビの「１ｃｈ」を検索する。ステップＳ４０では、系列代表局のチャンネル番号で系列を検索してステップＳ３９に移る。つまり、制御部４は音声入力された「系列代表局のチャンネル番号、例えば８ｃｈ」がどの系列の放送局であるかを放送局データベース３１から検索する（検索結果は「フジテレビ系列」）。
【００４６】
ステップＳ４１では、入力形態を判断して放送局名（名称）による入力であればステップＳ４２に移り、チャンネル番号による入力であればステップＳ４４に移る。つまり、視聴者が「地元放送局の名称」で入力したか、「地元放送局のチャンネル番号」で入力したかを音声認識結果に基いて判断する。ステップＳ４２では、地元放送局名で系列を検索してステップＳ４３に移る。つまり、制御部４は音声入力された「地元放送局名、例えばカンサイテレビ」がどの系列の放送局であるかを放送局データベース３１から検索する（検索結果は「フジテレビ系列」）。ステップＳ４３では、系列名で地区放送局のチャンネル番号を検索してステップＳ３６に移る。つまり、制御部４は放送局データベース３１から検索結果「フジテレビ系列」に対応する名古屋地区の系列放送局のチャンネル番号を検索する。例えば、「フジテレビ系列」に対応する東海テレビの「１ｃｈ」を検索する。ステップＳ４４では、地元放送局のチャンネル番号で系列を検索してステップＳ４３に移る。つまり、制御部４は音声入力された「地元放送局のチャンネル番号、例えば８ｃｈ」がどの系列の放送局であるかを放送局データベース３１から検索する（検索結果は「フジテレビ系列」）。
【００４７】
ステップＳ４５では、入力形態を判断して放送局名（名称）による入力であればステップＳ４６に移り、チャンネル番号による入力であればステップＳ３６に移る。つまり、視聴者が「地区放送局の名称」で入力したか、「地区放送局のチャンネル番号」で入力したかを音声認識結果に基いて判断する。ステップＳ４６では、地区放送局名で地区放送局のチャンネル番号を検索してステップＳ３６に移る。つまり、制御部４は放送局データベース３１から入力された「トウカイテレビ」に対応する「１ｃｈ」を検索する。
【００４８】
以上のように本実施の形態では、車両の走行により放送受信位置が変わっても、系列局や地元放送局に基づくチャンネル選択により所望の放送局の放送波を受信できるので、視聴者は煩わしいチャンネル選択が不要になる。
【００４９】
尚、本実施の形態においては、車載用テレビ受信機を例に説明したが、これに限らず、ポータブル型テレビ受信機についても同様に適用できる。また、車載用ラジオ受信機、ポータブル型ラジオ受信機についてもラジオ放送局と放送周波数とネットワークを構成する放送局の放送局データベース３１を変更するだけで同様に適用できる。
【００５０】
【発明の効果】
以上説明したように、本発明では、受信地域が変化しても、ネットワークを構成して同一番組を放送する放送局の選局が容易にできる受信装置が提供できる。
【図面の簡単な説明】
【図１】本発明の第１の実施の形態に係る受信装置の構成図である。
【図２】放送局データベースを示す図である。
【図３】本発明の第１の実施の形態に係る受信装置の制御部の行う処理のフローチャートである。
【図４】本発明の第１の実施の形態に係る受信装置の系列名の表示画面図である。
【図５】本発明の第１の実施の形態に係る受信装置の系列代表局名称／ｃｈの表示画面図である。
【図６】本発明の第１の実施の形態に係る受信装置の地元放送局名称／ｃｈの表示画面図である。
【図７】本発明の第２の実施の形態に係る受信装置の制御部の行う処理のフローチャートである。
【符号の説明】
１・・・・・受信部、                  ２２・・・・地図データベース、
１１・・・・チューナ部、              ３１・・・・放送局データベース、
１２・・・・受信回路、                ３２・・・・マイク、
１３・・・・音声出力部、              ３３・・・・音声認識部、
１４・・・・映像出力部、              ４・・・・・制御部、
２・・・・・ナビゲーションシステム、  ５・・・・・操作部、
２１・・・・ＧＰＳシステム。
【図１】
0004162800.tif 000002
【図２】
0004162800.tif 000003
【図３】
0004162800.tif 000004
【図４】
0004162800.tif 000005
【図５】
0004162800.tif 000006
【図６】
0004162800.tif 000007
【図７】
0004162800.tif 000008